(57)【特許請求の範囲】
【請求項１】
統合入力デバイスを備えるコンピュータデバイスであって、前記統合入力デバイスは、該統合入力デバイスが非活性化されている場合、該統合入力デバイスに対して開接続の状態を表示する金属トレースを含む能動的切断システムを備え、前記金属トレースは、前記統合入力デバイスの前記コンピュータデバイスへの線結合に用いられ、前記金属トレースは、前記能動的切断システムの前記開接続の操作により、前記線結合の位置から移動して、ユーザに目視可能なように露出して表示されるものである、コンピュータデバイス。
【請求項２】
前記統合入力デバイスは、カメラを含む、請求項１に記載のコンピュータデバイス。
【請求項３】
前記統合入力デバイスは、マイクロフォンを含む、請求項１に記載のコンピュータデバイス。
【請求項４】
前記統合入力デバイスは、前記能動的切断システムの接続ブロックを、前記金属トレースが目視可能になるまで回転させることによって非活性化される、請求項１に記載のコンピュータデバイス。
【請求項５】
前記統合入力デバイスは、該統合入力デバイスを、第１の位置から第２の位置までスライドさせることによって非活性化される、請求項１に記載のコンピュータデバイス。
【請求項６】
前記線は、前記コンピュータデバイスへのデータ接続を含む、請求項１に記載のコンピュータデバイス。
【請求項７】
前記線は、前記統合入力デバイスへの電力接続を含む、請求項１に記載のコンピュータデバイス。
【請求項８】
前記線は、前記統合入力デバイスを、信号プロセッサからシステムオンチップ（ＳＯＣ）上の入力線に結合する、請求項１に記載のコンピュータデバイス。
【請求項９】
前記統合入力デバイスが切断されたことをユーザにアラートするデバイスアラータを備える、請求項１に記載のコンピュータデバイス。
【請求項１０】
統合入力デバイスであって、
接続ブロックを備える本体であって、前記接続ブロックは、外表面上に金属トレースを含み、該金属トレースは、第１の位置において該統合入力デバイスをコンピューティングデバイスに結合する、本体と、
前記接続ブロックであって、該接続ブロックは、前記第１の位置から第２の位置への動きを可能にするように構成され、前記金属トレースは、前記第２の位置において前記統合入力デバイス及び前記コンピューティングデバイスから結合解除される、前記接続ブロックと
を備え、前記金属トレースは、前記第２の位置においてユーザに目視可能である、統合入力デバイス。
【請求項１１】
コンピュータデバイスと統合入力デバイスとを切断する方法であって、
該統合入力デバイスの接続ブロックを、前記コンピュータデバイスと該統合入力デバイスとの接続を破断する動きにより、前記接続に用いられる前記接続ブロックの金属トレースを接続位置から移動し、ユーザに目視可能なように露出して表示させること
を含む方法。
【請求項１２】
前記統合入力デバイスの前記接続ブロックの前記動きは、該接続ブロックの回転を含み、前記金属トレースは、該接続ブロックの表面上にある、請求項１１に記載の方法。
【請求項１３】
前記統合入力デバイスの前記接続ブロックの前記動きは、該接続ブロックの、前記金属トレースを露出して表示させる新たな位置へのスライドを含む、請求項１１に記載の方法。
【請求項１４】
前記接続ブロックの逆の動きにより、前記金属トレースを用いて前記統合入力デバイスを再接続することによって、該統合入力デバイスを前記コンピュータデバイスに再結合することを含む、請求項１１に記載の方法。
【発明の詳細な説明】
【背景技術】
【０００１】
スマートフォン及びラップトップ上のカメラは、ユーザの知らない間にオンになって録画を行う可能性があり、また、マイクロフォンは、ユーザの知らない間にアクティブになって録音を行う可能性がある。多くのアプリケーションが、マイクロフォン及びカメラがアクティブであるときを示すことができるが、カメラ及びマイクロフォンの状態の表示は回避される（bypassed）場合がある。さらに、マイクロフォンの事例において、多くのシステムは、マイクロフォンが録音中であるのか否かを表示するステータスＬＥＤを有しておらず、そのため、ユーザは、自身が録音されているのか否かを知る術がない。マイクロフォン、カメラ、又はこれら双方をディスエーブルすると主張し得るシステムレベルアプリケーションが存在し得るものの、マルウェアプログラムを用いて、これらのアプリケーションを回避し、カメラ又はマイクロフォンを動作状態に戻すことができてしまう。
【０００２】
以下の詳細な説明において、図面を参照して或る特定の例が記載される。
【図面の簡単な説明】
【０００３】
【図１Ａ】例示のコンピューティングデバイスの図であり、カメラがオン（on）位置及びオフ（off）位置において拡大図で示されている。
【図１Ｂ】例示のコンピューティングデバイスの図であり、カメラがオン位置及びオフ位置において拡大図で示されている。
【図１Ｃ】例示のコンピューティングデバイスの図であり、カメラがオン位置及びオフ位置において拡大図で示されている。
【図２Ａ】例示のコンピューティングデバイスの図であり、マイクロフォンがオン位置及びオフ位置において拡大図で示されている。
【図２Ｂ】例示のコンピューティングデバイスの図であり、マイクロフォンがオン位置及びオフ位置において拡大図で示されている。
【図２Ｃ】例示のコンピューティングデバイスの図であり、マイクロフォンがオン位置及びオフ位置において拡大図で示されている。
【図３】例示のスマートフォンの図であり、マイクロフォン素子がオン位置及びオフ位置において拡大図で示されている。
【図３Ｂ】例示のスマートフォンの図であり、マイクロフォン素子がオン位置及びオフ位置において拡大図で示されている。
【図３Ｃ】例示のスマートフォンの図であり、マイクロフォン素子がオン位置及びオフ位置において拡大図で示されている。
【図４Ａ】マイクロフォンを新たな位置に移動させることによる、このマイクロフォンの、システムオンチップ（system-on-a-chip）マザーボードからの切断の一例の図である。
【図４Ｂ】マイクロフォンを新たな位置に移動させることによる、このマイクロフォンの、システムオンチップ（system-on-a-chip）マザーボードからの切断の一例の図である。
【図５Ａ】信号線を開位置に移動させることによる、マイクロフォンの、システムオンチップマザーボードからの切断の一例の図である。
【図５Ｂ】信号線を開位置に移動させることによる、マイクロフォンの、システムオンチップマザーボードからの切断の一例の図である。
【図６】接続ブロックを開位置に移動させることによる、カメラモジュール６０２の、ＳｏＣ４０４からの切断の一例の図である。
【図７】デバイスによる、センサの切断を確認する方法の一例のプロセスフロー図である。
【図８】センサシステムの切断の目視確認部（visible confirmation）を有するコンピューティングシステムにおいて提示することができるコンポーネントの一例のブロック図である。
【発明を実施するための形態】
【０００４】
本明細書において記載される例は、マイクロフォン及びカメラ等の統合（integrated）入力デバイス又は統合センサを有するコンピューティングデバイス（本明細書において、コンピュータデバイスとも称される）を提供する。ここで、統合入力デバイスとは、システム内に定置されるものの、デタッチャブル（detachable）とすることができるものである。コンピューティングデバイスは、とりわけ、パーソナルコンピュータ、ラップトップコンピュータ、タブレットコンピュータ、オールインワンコンピュータ（all-in-one computers）、又はスマートフォンを含むことができる。
【０００５】
本明細書において用いられる場合、デタッチャブルとは、ユーザがセンサを切断するというアクションを取った後には、その統合入力デバイスが依然としてシステムに物理的にアタッチされているものの、これらのデバイスがもはや電気的に接続されていないことを示す語である。これは、例えば、統合入力デバイスを異なる或る位置に移動させることによる、データ線、電力線、又はこれら双方における接続を破断することを含むことができる。
【０００６】
さらに、接続状態は、カメラ及びマイクロフォン等の統合入力デバイスがデタッチ状態にある場合、もはやシステムに結合されていないことをユーザが確認することができるように、ユーザにとって目視可能である。本明細書において記載されるシステムにおいて、統合入力デバイスがデタッチ位置に移動した場合、金属トレースが切断された線を形成していることがユーザにとって目視可能である。これは、センサがディスエーブルされていることの能動的フィードバック（positive feedback）を提供する。
【０００７】
図１Ａ〜図１Ｃは、例示のコンピューティングデバイス１００の図であり、カメラ１０２がオン（on）位置１０４（図１Ｂ）及びオフ（off）位置１０６（図１Ｃ）において拡大図で示されている。カメラ１０２は、カメラハウジング１１０の、軸１１２の周りの回転１０８によって、オン位置１０４とオフ位置１０６との間で移動させることができる。カメラ１０２が一方の位置にあるのか又は他方の位置にあるのかを確認するために目印（indicia）を含めることができ、これは、例えば、カメラ１０２がオン位置１０４にある場合のオン（on）ラベル１１４、及び、カメラ１０２がオフ位置１０６にある場合のオフ（off）ラベル１１６である。
【０００８】
オフ位置１０６におけるカメラ１０２のデタッチステータスの能動的確認は、金属トレース１１８が目視可能であることによってユーザが判定することができる。金属トレース１１８は、カメラ１０２を、コンピューティングデバイス１００のシステムに接続する線上の導体である。目視可能とすることができる金属トレース１１８の数は、２つに限定されず、切断されているデータ線又は電力線の数に応じて任意の数とすることができる。いくつかの例では、カメラ１０２からの信号線のみが切断され、その一方で、電力線が切断されないままに残される。
【０００９】
カメラ１０２への接続がシリアルインターフェースプロトコル（ＳＩＰ）バスである場合、２つの金属トレース１１８は、双方ともＳＩＰバスの線とすることができ、これらの線は、カメラ１０２への信号接続及び電力接続の双方を切断する。他の例では、単一の金属トレース１１８によって示される単一の信号線を切断することができる。
【００１０】
金属トレース１１８への接続は、金属トレース１１８が下で回転されると接続を完了するばね端子によって行うことができる。他の例では、センサをデタッチするのに用いられる動き（motion）に応じて、他のタイプの接続を用いることができる。これは、図３Ａ〜図３Ｃに関して更に論述される。
【００１１】
図２Ａ〜図２Ｃは、例示のコンピューティングデバイス１００の図であり、マイクロフォン２０２がオン位置２０４（図２Ｂ）及びオフ位置２０６（図２Ｃ）において拡大図で示されている。同様に付番された要素は、図１に関して記載された要素と同様である。図１に関して記載されたカメラ１０２と同様に、マイクロフォン２０２は、マイクロフォンハウジング２１０の、軸２１２の周りの回転２０８によって、オン位置２０４とオフ位置２０６との間で移動させることができる。マイクロフォン２０２がオン位置２０４にあるとき又はオフ位置２０６にあるときを示すために、マイクロフォンハウジング２１０上に目印２１４を印刷することができる。
【００１２】
カメラ１０２と同様に、オフ位置２０６におけるマイクロフォン２０２のデタッチステータスの能動的確認は、１つ以上の金属トレース１１８が目視可能であることによってユーザに提供することができる。この例では、金属トレース１１８は、マイクロフォン２０２を、コンピューティングデバイス１００のシステムに接続する線上の導体である。
【００１３】
マイクロフォン２０２及びカメラ１０２の切断された金属トレース１１８は、透明表面によって損傷又は腐食から保護することができる。例えば、マイクロフォン２０２又はカメラ１０２の、金属トレース１１８を含む部分を覆うようにガラス又はプラスチックのカバーを配置することができる。これにより、金属トレース１１８を、コンタミネーション、例えば、マイクロフォン２０２又はカメラ１０２が動作状態に戻されたときに接続不良をもたらし得る指先の油分から保護することもできる。
【００１４】
図３Ａ〜図３Ｃは、例示のスマートフォン３００の図であり、マイクロフォン素子３０２がオン位置３０４（図３Ｂ）及びオフ位置３０６（図３Ｃ）において拡大図で示されている。同様に付番された要素は、図１に関して記載された要素と同様である。オン位置３０４において、そのロケーションを確認するために緑線等のインジケータ３０８を含めることができる。マイクロフォン素子３０２は、スライドする動き３１０によってディスエーブルすることができ、これにより、インジケータ３０８を隠すこと、及び、マイクロフォン素子３０２をシステムの回路に結合する金属トレース１１８を露出することの双方を行うことができ、マイクロフォン素子３０２のデタッチメントが肯定的に確認される。本明細書において記載されるように、金属トレース１１８は、スライダスイッチに接続された透明カバーによって保護することができ、例えば、透明カバーは、マイクロフォン素子３０２が係合解除される際に、スマートフォン３００のケースからスライドして取り外すことができる。
【００１５】
図３Ａ〜図３Ｃに示す例において、金属トレース１１８は、垂直（vertical）な動きにおいて、開口の反対側上の端子から切断することができる。したがって、金属トレース１１８への接続は、ＰＯＮＧ端子（PONG terminals）等のばね付勢端子によって行うことができる。
【００１６】
図４Ａ及び図４Ｂは、マイクロフォン４０２を新たな位置に移動させることによる、マイクロフォン４０２の、システムオンチップマザーボードからの切断の一例の図である。この例では、マイクロフォン４０２は、アナログ対デジタル変換器（ＡＤＣ）４０４ に対して結合状態を保ち、その一方で、ＡＤＣ４０４とＳｏＣ４０６との間の接続は破断されている。図１Ａ〜図３Ｃに対して記載された金属トレース１１８は、ＡＤＣ４０４をＳｏＣ４０６に結合する線４０８の一部を形成することができる。線４０８は、ＡＤＣ４０４に後置され、例えば低速デジタルバス上にあるので、これらの線は、雑音に関する問題、例えば、接続及び切断の複数のサイクルからの接続不良の結果として引き起こされ得る雑音に関する問題を起こしにくくすることができる。
【００１７】
図５Ａ及び図５Ｂは、信号線を開位置に移動させることによる、マイクロフォンの、システムオンチップマザーボードからの切断の一例の図である。同様に付番された要素は、図１、図４Ａ及び図４Ｃに関して記載された要素と同様である。
【００１８】
図４Ａ及び図４Ｂに関して記載したように、アナログ回路部は、デジタル回路部よりも多くの雑音を生じさせる傾向を有し得るので、それゆえ、切断部は、デジタル信号線上に配置することができる。
【００１９】
図５Ａ及び図５Ｂに示すように、マイクロフォン５０２は、入力を演算増幅器（オペアンプ（op amp））５０４に提供することができる。オペアンプ５０４の出力は、ミクストシグナル（mixed signal）特定用途向け集積回路（ＡＳＩＣ）５０６に提供することができ、このＡＳＩＣは、ＡＤＣ４０４を備える。ＡＳＩＣ５０６は、パルス符号変調（ＰＣＭ）信号５０８を生成することができ、この信号は、金属トレース１１８を含む接続ブロック５１０を通してＳｏＣ４０６に提供することができる。本明細書において用いられる場合、接続ブロック５１０は、とりわけ、カメラの回転ハウジング、マイクロフォンの回転ハウジング、又はマイクロフォン及びスマートフォンのスライドハウジングとすることができる。
【００２０】
接続ブロック５１０を移動させること、例えば、図５Ａに示す位置から図５Ｂに示す位置への回転の動き又はスライドする動きを通して接続ブロック５１０を移動させることにより、金属トレース１１８が、ミクストシグナルＡＳＩＣ５０６とＳｏＣ４０６との間の線から離隔するように移動し、これにより、マイクロフォンがシステムからデタッチされる。さらに、接続ブロック５１０が移動すると、金属トレース１１８は、ユーザにとって目視可能になる。
【００２１】
図６は、接続ブロック５１０を開位置に移動させることによる、カメラモジュール６０２の、ＳｏＣ４０４からの切断の一例の図である。同様に付番された要素は、図１及び図４に関して記載された要素と同様である。この例において、カメラモジュール６０２は、レンズ６０４とセンサ６０６とを備える。センサ６０６は、ＣＭＯＳセンサ又はＣＣＤセンサとすることができ、これらのセンサは、例えばモバイル産業プロセッサインターフェース（ＭＩＰＩ：Mobile Industry Processor Interface）アライアンスによって提供される仕様に準拠したシリアルデータバスを、離散（discrete）統合信号プロセッサ（ＩＳＰ：integrated signal processor）６０８に提供するエレクトロニクスを含むことができる。ＩＳＰ６０８は、個々のフレームを記憶するフレームバッファ６１０に結合することができる。センサ６０６、ＩＳＰ６０８、及びフレームバッファ６１０は、画像データを搬送して、フレームバッファ６１０に記憶されるフレームを生成するリアルタイム高速バス接続である。
【００２２】
到来線又はカメラセンサからのフレームをフレームバッファ６１０にバッファリングすることにより、データ転送のリアルタイム要件を低減することができる。結果として、ＩＳＰ６０８からの出力は、ブロック６１２に示すように、後処理、例えば、雑音を低減するとともに品質を改善すること、符号化器−復号器（ｃｏｄｅｃ）を用いて画像を符号化すること、及び、デバイスにアタッチされたディスプレイに画像を表示することを行うために、低速ＭＩＰＩを介してＳｏＣ４０４に渡すことができる。したがって、ＩＳＰ６０８とＳｏＣ４０４との間に接続ブロック５１０を配置すること、及び、リアルタイム要件を緩和するためにフレームをバッファリングすることは、システムの信頼度を改善することができる。
【００２３】
図７は、デバイスによる、センサの切断を確認する方法７００の一例のプロセスフロー図である。方法は、デバイスが、例えば第１の位置から第２の位置への接続ブロックの動きを認識すると、ブロック７０２において開始する。第１の位置から第２の位置への移動は、とりわけ、接続ブロックの回転、又は接続ブロックのスライドを含むことができる。
【００２４】
ブロック７０４において、その移動に応答して、デバイスは、例えば、データ線、電力線、又はそれら双方をシステム回路部に結合する接続から金属トレースを移動させることによって、センサとシステム回路部との間の接続を破断する。第１の位置では、センサは、システム回路部に接続されており、アクティブである。第２の位置では、センサは、システム回路部からデタッチされており、ディスエーブルされている。
【００２５】
ブロック７０６において、デバイスは、接続ブロック上で、第２の位置において金属トレースを表示することができる。これにより、センサがデタッチされていることをユーザが確認することが可能となり得る。本明細書において記載されるように、接続ブロックは、カメラ又はマイクロフォン等のセンサのハウジングとすることができ、金属トレースは、データ線又は電力線によって用いられる導体とすることができる。
【００２６】
図８は、センサシステムの切断の目視確認部を有するコンピューティングシステムにおいて提示することができるコンポーネントの一例のブロック図である。コンピューティングデバイス８００は、ラップトップコンピュータ、タブレットコンピュータ、スマートフォン、又は任意の数の他のデバイスとすることができる。コンピューティングデバイス８００は、プロセッサ８０２を備えることができ、このプロセッサは、マイクロプロセッサ、シングルコアプロセッサ、マルチコアプロセッサ、マルチスレッドプロセッサ、超低電圧プロセッサ、埋め込みプロセッサ、又は他の任意のタイプのプロセッサとすることができる。プロセッサ８０２は、プロセッサ８０２及び他のコンポーネントが単一の集積回路へと形成されるか又は単一の回路基板上で形成されるシステムオンチップの一部とすることができる。
【００２７】
プロセッサ８０２は、バス８０６を介してシステムメモリ８０４と通信することができる。所与のシステムメモリ容量を提供するのに、ランダムアクセスメモリ（ＲＡＭ）、スタティックランダムアクセスメモリ（ＳＲＡＭ）、ダイナミックＲＡＭ等を含む、任意の数のメモリデバイスを用いることができる。
【００２８】
マスストレージ８０８も、バス８０６を介してプロセッサ８０２に結合することができる。マスストレージ８０８を含めることで、情報及びデータの永続的記憶を提供することができる。マスストレージ８０８は、ソリッドステートドライブ（ＳＳＤ）を介して実装することができる。マスストレージ８０８のために用いることができる他のデバイスは、リードオンリメモリ（ＲＯＭ）、フラッシュメモリ、マイクロハードドライブ、ハードドライブ等を含む。
【００２９】
これらのコンポーネントは、バス８０６を介して通信することができる。バス８０６は、インダストリスタンダードアーキテクチャ（ＩＳＡ：industry standard architecture）、拡張ＩＳＡ（ＥＩＳＡ）、ペリフェラルコンポーネントインターコネクト（ＰＣＩ：peripheral component interconnect）、拡張ペリフェラルコンポーネントインターコネクト（ＰＣＩｘ）、ＰＣＩエクスプレス（ＰＣＩｅ）、又は任意の数の他の技術を含む任意の数の技術を含むことができる。バス８０６は、例えば、スマートフォン、タブレットコンピュータ等のＳｏＣベースシステムにおいて用いられるプロプリエタリバスとすることができる。とりわけ、ポイントツーポイントインターフェース及びパワーバス等の他のバスシステムを含めることができる。
【００３０】
バス８０６は、ローカルネットワーク、ワイドエリアネットワーク又はインターネット等の、クラウド８１２との通信のために、プロセッサ８０２を送受信機８１０に結合することができる。送受信機８１０は、Ｂｌｕｅｔｏｏｔｈ（登録商標）スペシャルインタレストグループによって規定された、Ｂｌｕｅｔｏｏｔｈ（登録商標）ｌｏｗ  ｅｎｅｒｇｙ（ＢＬＥ）標準規格を用いる、ＩＥＥＥ８０２．１５．４標準規格の下での２．４ギガヘルツ（ＧＨｚ）送信等の、任意の数の周波数及びプロトコルを用いることができる。送受信機８１０は、米国電気電子技術者協会（ＩＥＥＥ）８０２．１１標準規格に準拠したＷｉ−Ｆｉ（商標）通信を実装するのに用いることができるＷＬＡＮユニットを含むことができる。加えて、例えばセルラ又は他の無線ワイドエリアプロトコルによる、無線ワイドエリア通信は、ＷＷＡＮユニットを介して生じさせることができる。
【００３１】
ネットワーク８１２に有線通信リンクを提供するために、ネットワークインターフェースコントローラ（ＮＩＣ）８１４を含めることができる。有線通信リンクは、イーサネットプロトコル接続を提供することもできるし、他のタイプのネットワーク及びインターフェースプロトコルに基づいた有線通信リンクを提供することもできる。
【００３２】
バッテリ８１６は、コンピューティングデバイス８００に電力供給することができるが、コンピューティングデバイス８００は、電力網に直接結合された電源を用いることができる。バッテリ８１６は、とりわけ、リチウムイオンバッテリ、金属空気バッテリ（metal-air battery）、又はニッケルカドミウムバッテリとすることができる。バッテリ８１６を充電し、バッテリ８１６の充電をモニタリングし、バッテリ８１６の充電状態をモニタリングするために、コンピューティングデバイス８００内にバッテリモニタ／充電器８１８を含めることができる。
【００３３】
バッテリ８１６を充電するために、バッテリモニタ／充電器８１８に電力ブロック８２０を結合することができる。いくつかの例では、電力ブロック８２０は、例えばコンピューティングデバイス８００内のループアンテナを通して、電力を無線で提供する無線電力受信機に置き換えることができる。
【００３４】
バス８０６は、プロセッサ８０２をディスプレイデバイス８２２に結合することができる。ラップトップコンピュータ、タブレットコンピュータ、又はスマートフォン内の統合ディスプレイ等、ディスプレイデバイス８２２は、コンピューティングデバイス８００に組み込むことができる。他の例では、ディスプレイデバイス８２２は、インターフェースを通してコンピューティングデバイス８００に結合された外部デバイスとすることができる。
【００３５】
入力デバイス８２４を、バス８０６を通してプロセッサ８０２に結合することができる。入力デバイス８２４は、ディスプレイデバイス８２２に関連付けられたタッチスクリーンパネル、コンピューティングデバイス８００に組み込まれたキーボード、コンピューティングデバイス８００に組み込まれたタッチパッド、外部ポインティングデバイス、例えばコンピューティングデバイス８００に接続されたキーボード若しくはマウス、又はこれらの任意の組み合わせとすることができる。
【００３６】
カメラインターフェース８２６を、バス８０６を通してプロセッサ８０２に結合することができる。カメラインターフェース８２６は、本明細書において記載されるように、接続ブロック５１０Ａを通してカメラ８２８に結合することができる。接続ブロック５１０Ａは、カメラ８２８のカメラインターフェース８２６との線結合から切断することができる金属トレース１１８を含むことができる。金属トレース１１８は、切断されると、コンピューティングデバイス８００のユーザにとって目視可能となることで、カメラ８２８が非活性化（deactivated）したことが確認される。本明細書に記載されるように、接続ブロック５１０Ａは、回転するか又は別の方法でアタッチ位置又はデタッチ位置に移動させることができる、カメラ８２８の本体とすることができる。
【００３７】
マイクロフォンインターフェース８３０を、バス８０６を通してプロセッサ８０２に結合することができる。マイクロフォンインターフェース８３０は、第２の接続ブロック５１０Ｂを通してマイクロフォン８３２に結合することができる。カメラ８２８をカメラインターフェース８２６に結合する接続ブロック５１０Ａと同様に、接続ブロック５１０Ｂは、マイクロフォン８３２のマイクロフォンインターフェース８３０との線結合から切断することができる金属トレース１１８を含むことができる。
【００３８】
第１の接続ブロック５１０Ａが単一の金属トレース１１８を用いて示され、かつ、第２の接続ブロック５１０Ｂが２つの金属トレース１１８を用いて示されているものの、接続ブロック５１０Ａ又は５１０Ｂのいずれの上にも任意の数の金属トレース１１８が存在し得る。例えば、単一の金属トレース１１８を用いてデータ線上の低速デジタル信号を結合解除することができる一方で、２つの金属トレース１１８を用いてＳＩＰバスの双方の線を結合解除することができる。
【００３９】
マスストレージ８０８は、機能を実施するためにコードモジュールを含むことができる。起動モジュール（booting module）８２６は、プロセッサ８０２を起動（boot）するためにスタートアップコードを含むことができる。ユーザとコンピューティングデバイス８００との間にインターフェースを提供するとともに、コンピューティングデバイス８００内の基本動作を提供するために、オペレーティングシステム８２８を含めることができる。通信アプリケーション、ワードプロセッシングアプリケーション等の機能を提供するために、アプリケーション８３０を含めることができる。
【００４０】
例えばステータスを示すためにスクリーンの底部においてインジケータを示すアラート発生器（alerter）８４２を用いて、センサのステータスの追加確認を提供することができる。いくつかの例では、アラート発生器８４２は、センサのステータスが変化すると、センサが活性化（activated）又はデタッチされていることを示すポップアップボックスを一時的に表示することができる。
【００４１】
本技術は種々の変更形態及び代替形態を受け入れる余地があり得る一方で、上述した例は、単に例示として示されているに過ぎない。この技術は、本明細書において開示された特定の例に限定されるようには意図されていないことを理解されたい。実際、本技術は、本技術の範囲内にある全ての代替形態、変更形態、及び均等物を含む。
なお、出願当初の特許請求の範囲の記載は以下の通りである。
請求項１：
統合入力デバイスを備えるコンピュータデバイスであって、前記統合入力デバイスは、該統合入力デバイスが非活性化されている場合、該統合入力デバイスに対して開接続の表示を含む能動的切断システムを備え、前記開接続は、前記統合入力デバイスの該コンピュータデバイスへの線結合上の、目視可能な金属トレースを含む、コンピュータデバイス。
請求項２：
前記統合入力デバイスは、カメラを含む、請求項１に記載のコンピュータデバイス。
請求項３：
前記統合入力デバイスは、マイクロフォンを含む、請求項１に記載のコンピュータデバイス。
請求項４：
前記統合入力デバイスは、該統合入力デバイスを、前記金属トレースが目視可能になるまで回転させることによって非活性化される、請求項１に記載のコンピュータデバイス。
請求項５：
前記統合入力デバイスは、該統合入力デバイスを、第１の位置から第２の位置までスライドさせることによって非活性化される、請求項１に記載のコンピュータデバイス。
請求項６：
前記線は、前記コンピュータデバイスへのデータ接続を含む、請求項１に記載のコンピュータデバイス。
請求項７：
前記線は、前記統合入力デバイスへの電力接続を含む、請求項１に記載のコンピュータデバイス。
請求項８：
前記線は、前記統合入力デバイスを、信号プロセッサからシステムオンチップ（ＳＯＣ）上の入力線に結合する、請求項１に記載のコンピュータデバイス。
請求項９：
前記統合入力デバイスが切断されたことをユーザにアラートするデバイスアラート発生器を備える、請求項１に記載のコンピュータデバイス。
請求項１０：
統合入力デバイスであって、
接続ブロックを備える本体であって、前記接続ブロックは、外表面上に金属トレースを含み、該金属トレースは、第１の位置において該統合入力デバイスをコンピューティングデバイスに結合する、本体と、
前記接続ブロックであって、該接続ブロックは、前記第１の位置から第２の位置への動きを可能にするように構成され、前記金属トレースは、前記第２の位置において前記統合入力デバイス及び前記コンピューティングデバイスから結合解除される、前記接続ブロックと、
を備える、統合入力デバイス。
請求項１１：
前記金属トレースは、前記第２の位置において目視可能である、請求項９に記載の統合入力デバイス。
請求項１２：
コンピュータデバイスによって統合入力デバイスを切断する方法であって、
前記統合入力デバイスへの接続を破断する該統合入力デバイスの動きを受信することと、
前記統合入力デバイスの前記接続を含む金属トレースを表示することと、
を含む、方法。
請求項１３：
前記統合入力デバイスの前記動きは、該統合入力デバイスの回転を含み、前記金属トレースは、該統合入力デバイスの前記表面上にある、請求項１２に記載の方法。
請求項１４：
前記統合入力デバイスの前記動きは、該統合入力デバイスの、金属トレースを表示する新たな位置へのスライドを含む、請求項１２に記載の方法。
請求項１５：
前記統合入力デバイスの逆の動きを認識して、前記金属トレースを用いて前記統合入力デバイスを再接続することによって、該統合入力デバイスを前記コンピュータデバイスに再結合することを含む、請求項１２に記載の方法。
【図１Ａ】
0006883268.tif 000002
【図１Ｂ】
0006883268.tif 000003
【図１Ｃ】
0006883268.tif 000004
【図２Ａ】
0006883268.tif 000005
【図２Ｂ】
0006883268.tif 000006
【図２Ｃ】
0006883268.tif 000007
【図３】
0006883268.tif 000008
【図３Ｂ】
0006883268.tif 000009
【図３Ｃ】
0006883268.tif 000010
【図４Ａ】
0006883268.tif 000011
【図４Ｂ】
0006883268.tif 000012
【図５Ａ】
0006883268.tif 000013
【図５Ｂ】
0006883268.tif 000014
【図６】
0006883268.tif 000015
【図７】
0006883268.tif 000016
【図８】
0006883268.tif 000017